【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
アンテナであって、
少なくとも１つの電磁レンズ（３０２）と、
上記レンズ（３０２）に接続された少なくとも１つの接地平面（３０１）と、
上記レンズ（３０２）に接続された少なくとも１つのプローブ構造体とを有し、
上記プローブ構造体は少なくとも１つのプローブ（３０３）を有し、
上記少なくとも１つのプローブ（３０２）は、レンズ（３０２）によって取り囲まれ、少なくとも１つのベースプロフィールを有する、少なくとも１つの上記レンズと少なくとも１つの上記接地平面（３０１）とのうちの少なくとも１つが、実質的にスーパー形成され、スーパー形成された上記ベースプロフィールが、極関数：
【数１】
2015534367.tif 000001
によって規定され、
ρd（φ）が、ＸＹ平面に位置する曲線であり、
φ∈ [０，２π）が、角座標である、アンテナ。
【請求項２】
上記レンズ（３０２）および／または上記接地平面（３０１）の３次元形状のパラメータ表現が、２つの垂直な断面ρ1（θ）およびρ2（φ）に基づいており：
【数２】
2015534367.tif 000002
であり、
ρが、請求項１に示される関数で規定され、
０≦θ≦２π、および、
−(1/2)π≦φ≦(1/2)π
である、請求項１に記載のアンテナ。
【請求項３】
ｍ≧４である、請求項１または２に記載のアンテナ。
【請求項４】
ａ≠ｂである、請求項１ないし３のいずれか１項に記載のアンテナ。
【請求項５】
ｎx、ｎyおよびｎ0のうちの少なくとも１つの値が２から逸脱する、請求項１ないし４のいずれか１項に記載のアンテナ。
【請求項６】
実質的にスーパー形成された上記ベースプロフィールが、上記接地平面（３０１）によって規定される平面に実質的に平行な方向に延びる上記レンズ（３０２）のベースプロフィールである、請求項１ないし５のいずれか１項に記載のアンテナ。
【請求項７】
上記プローブ構造体が、電磁放射を受信するように構成されている、請求項１ないし６のいずれか１項に記載のアンテナ。
【請求項８】
上記プローブ構造体が、電磁放射を送信するように構成されている、請求項１ないし７のいずれか１項に記載のアンテナ。
【請求項９】
上記プローブ構造体が、複数のプローブ（６０２、６０３）を有する、請求項１に記載のアンテナ。
【請求項１０】
少なくとも２つの上記プローブ（６０２、６０３）の形状が互いに異なっている、請求項９に記載のアンテナ。
【請求項１１】
少なくとも１つの上記プローブが、５ＧＨｚ周波数帯域で動作するように構成され、上記プローブの長さが４ないし８ｍｍである、請求項９または１０に記載のアンテナ。
【請求項１２】
少なくとも１つの上記プローブが、２．４ＧＨｚ周波数帯域で動作するように構成され、上記プローブの長さが１０ないし１８ｍｍである、請求項９ないし１１のいずれか１項に記載のアンテナ。
【請求項１３】
少なくとも１つの上記プローブの直径が１ないし３ｍｍである、請求項９ないし１２のいずれか１項に記載のアンテナ。
【請求項１４】
少なくとも２つの上記プローブ（６０２、６０３）の互いの向きは、上記プローブが少なくとも部分的に互いの電磁視界ラインの外側に配置されるような、向きになっている、請求項９ないし１３のいずれか１項に記載のアンテナ。
【請求項１５】
少なくとも２つの送信プローブ（６０２、６０３）を有し、少なくとも１つのプローブによって送信される電磁放射が、少なくとも部分的に、少なくとも１つの他のプローブから遠ざかるように反射される、請求項１４に記載のアンテナ。
【請求項１６】
少なくとも２つの送信プローブ（６０２、６０３）を有し、少なくとも１つのプローブによって送信される電磁放射が、少なくとも部分的に、少なくとも１つの他のプローブから遠ざかる方向に、上記レンズの少なくとも１つの周囲壁によって反射される、請求項１５に記載のアンテナ。
【請求項１７】
上記レンズ（３０２）の少なくとも１つの周囲壁の少なくとも一部分が、凹形状を有する、請求項１ないし１６のいずれか１項に記載のアンテナ。
【請求項１８】
少なくとも１つのアンテナプローブが、上記レンズ（３０２）の鋭利な先端またはそれの近傍に位置する、請求項１ないし１７のいずれか１項に記載のアンテナ。
【請求項１９】
上記レンズ（３０２）に、上記プローブ構造体の少なくとも１つのプローブ（３０３）を収容する少なくとも１つの収容空間が設けられている、請求項１ないし１８のいずれか１項に記載のアンテナ。
【請求項２０】
上記接地平面（３０１）に、上記プローブ構造体の少なくとも１つのプローブ（３０２）を収容する少なくとも１つの収容空間が設けられている、請求項１ないし１９のいずれか１項に記載のアンテナ。
【請求項２１】
複数の収容空間を備え、各収容空間は、少なくとも１つのプローブ（３０２）を収容するように構成されている、請求項１９または２０に記載のアンテナ。
【請求項２２】
複数の収容空間のうちの少なくとも２つのものの互いの向きは、上記収容空間が互いの電磁視界ラインの外側に配置されるような、向きになっている、請求項２１に記載のアンテナ。
【請求項２３】
上記レンズ（３０２）の高さが５ｃｍに等しいまたはそれより小さい、請求項１ないし２２のいずれか１項に記載のアンテナ。
【請求項２４】
上記レンズ（３０２）が、少なくとも部分的に、誘電体で出来ている、請求項１ないし２３のいずれか１項に記載のアンテナ。
【請求項２５】
上記レンズ（３０２）が、少なくとも部分的に、少なくとも１つのセラミックから出来ている、請求項２４に記載のアンテナ。
【請求項２６】
上記レンズ（３０２）が、ガラス、水晶、および／または少なくとも１つのポリマー、特にポリ塩化ビニル（ＰＶＣ）から少なくとも部分的に出来ている、請求項２４または２５に記載のアンテナ。
【請求項２７】
上記レンズ（３０２）が、
流体、好ましくは空気または脱塩水、で少なくとも部分的に満たされた少なくとも１つの内部空間を取り囲む、少なくとも１つのガラス、水晶、および／または少なくとも１つのポリマーから、少なくとも部分的に出来ているシェルを有している、請求項２６に記載のアンテナ。
【請求項２８】
上記レンズ（３０２）が、誘電体共振器である、請求項１ないし２７のいずれか１項に記載のアンテナ。
【請求項２９】
上記レンズ（３０２）および／または上記接地平面（３０１）が、実質的にプリズム形状である、請求項１ないし２８のいずれか１項に記載のアンテナ。
【請求項３０】
上記接地平面（３０１）の、上記レンズ（３０２）のほうを向いている表面が、少なくとも部分的に、反射的である、請求項１ないし２９のいずれか１項に記載のアンテナ。
【請求項３１】
上記接地平面（３０１）が、少なくとも部分的に、導電材料から出来ている、請求項１ないし３０のいずれか１項に記載のアンテナ。
【請求項３２】
上記プローブ構造体が、上記接地平面（３０１）に接続されている、請求項１ないし３１のいずれか１項に記載のアンテナ。
【請求項３３】
上記レンズ（３０２）が、屈折率ｎを有し、ｎ≠１である、請求項１ないし３２のいずれか１項に記載のアンテナ。
【請求項３４】
上記プローブ構造体が、第１の周波数帯域で通信するように構成された少なくとも１つの第１のプローブ（６０２）と、第２の周波数帯域で通信するように構成された少なくとも１つの第２のプローブ（６０３）と、を有する、請求項１ないし３３のいずれか１項に記載のアンテナ。
【請求項３５】
上記プローブ構造体が、複数の第１のプローブと、複数の第２のプローブと、を有する、請求項３４に記載のアンテナ。
【請求項３６】
上記プローブ構造体の双方向通信のために、放射送信モードと放射受信モードとの間で上記プローブ構造体を自動的に切り替える少なくとも１つのプロセッサを有する、請求項１ないし３５のいずれか１項に記載のアンテナ。
【請求項３７】
上記プロセッサが、各周波数帯域での双方向通信のために、上記第１の周波数帯域と上記第２の周波数帯域との間で自動的に切り替えるように構成されている、請求項３４ないし３６のいずれか１項に記載のアンテナ。
【請求項３８】
周囲壁の少なくとも一部分が、波形形状である、請求項１ないし３７のいずれか１項に記載のアンテナ。
【請求項３９】
電磁信号を送受信するアンテナシステムであって、請求項１ないし３８のいずれか１項に記載のアンテナを少なくとも１つ有する、アンテナシステム。
【請求項４０】
複数の、ＭＩＭＯ構成の、請求項３４または３５に記載のアンテナを有する、請求項３９に記載のアンテナシステム。
【請求項４１】
少なくとも２つのデュアルバンドアンテナと、２つの周波数帯域のうちの少なくとも１つを切り替える少なくとも１つのプロセッサとを有し、この帯域で信号の送受信の多様性を確実にする、請求項４０に記載のアンテナシステム。
【請求項４２】
請求項１ないし３８のいずれか１項に記載のアンテナを製造する方法であって、
（Ａ）  接地平面（３０１）および／またはレンズ（３０２）が、実質的にスーパー形成された少なくとも１つのベースプロフィールを有し、スーパー形成が、極関数
【数３】
2015534367.tif 000003
によって規定され、
ρd（φ）が、ＸＹ平面に位置する曲線であり、
φ∈ [０，２π）が、角座標である
ように、少なくとも１つの接地平面および／または少なくとも１つのレンズを設計するステップ（Ａ）と、
（Ｂ）  上記接地平面、上記レンズおよび、少なくとも１つのプローブ（３０３）を有するプローブ構造体を組み立てるステップ（Ｂ）とを有する、方法。
【請求項４３】
上記ステップ（Ｂ）中に、複数のプローブが、上記接地平面（３０１）および／または上記レンズ（３０２）に接続される、請求項４２に記載の方法。
【請求項４４】
少なくとも１つのプローブ（６０２）が、第１の周波数帯域で通信するように構成され、少なくとも１つの他のプローブ（６０３）が、第２の周波数帯域で通信するように構成されている、請求項４３に記載の方法。
【請求項４５】
動作中に、上記レンズの異なる領域が励起されるように、異なるプローブ（６０２、６０３）が方向付けられている、請求項４４に記載の方法。
【請求項４６】
上記レンズ（３０２）が、水晶、ガラス、セラミック、ポリマー、および脱塩水から成るグループから選択される誘電体から少なくとも部分的に出来ている、請求項４２ないし４５のいずれか１項に記載の方法。
【請求項４７】
ポリマーのレンズ（３０２）が、３Ｄ印刷によって出来ている、請求項４６に記載の方法。
【請求項４８】
請求項１ないし３８のいずれか１項に記載のアンテナを用いることによる無線通信での使用方法であって、上記方法は、通信回路をアンテナネットワークに接続するステップを有し、ネットワークは、請求項１ないし３８のいずれか１項に記載のアンテナを複数個有し、各アンテナは、指定された少なくとも１つの周波数帯域の動作に最適化されている、方法。
【請求項４９】
各アンテナが、複数の周波数帯域での動作に最適化されている、請求項４８に記載の方法。
【請求項５０】
指定された複数の周波数帯域のそれぞれが、単一の周波数を有している、請求項４８または４９に記載の方法。
【請求項５１】
請求項１ないし３８のいずれか１項に記載のアンテナを少なくとも１つ有する無線通信装置のＲＦ送受信機。
【請求項５２】
請求項５１に記載のＲＦ送受信機を有する電子機器。